(57)【要約】【課題】撮影装置における様々な部材から異物を効率的に除去する清掃具を提供する。【解決手段】清掃具１０の異物除去部材１２は、軸部材１５を中心に回転可能であり、所定の回転位置で保持される。清掃具１０は、デジタル一眼レフカメラ４０の撮像素子ユニット表面４２Ｓの清掃においては、異物除去部材１２が図示された回転位置、すなわち、本体部１４がマウント面４０Ｓに対して垂直であるときに第１の粘着面１６Ｓ１が撮像素子ユニット表面４２Ｓに平行である回転位置にある状態で使用される。一方、ピント板４６の表面等の清掃においては、本体部１４がマウント面４０Ｓに対して垂直であるときに、第１の粘着面１６Ｓ１がピント板表面に平行である回転位置まで異物除去部材１２が回転された状態で、清掃具１０が使用される。【選択図】図８
2008020855.tif 000002
【特許請求の範囲】
【請求項１】
撮影装置に設けられた精密部品上にある異物を除去する撮影装置用清掃具であって、
前記異物を粘着させる複数の粘着面を有し、前記複数の粘着面が互いに傾くように設けられている異物除去部材を備えることを特徴とする撮影装置用清掃具。
【請求項２】
前記異物除去部材が、軸心回りに回転可能であることを特徴とする請求項１に記載の撮影装置用清掃具。  
【請求項３】
前記異物除去部材が、所定の回転位置で保持されることを特徴とする請求項２に記載の撮影装置用清掃具。    
【請求項４】
前記異物除去部材が取付けられている本体部をさらに有し、前記異物除去部材が、前記粘着面を有する粘着性部材と、前記本体部に回転可能に取付けられた回転部材とを含み、前記回転部材における前記本体部に取付けられていない領域が前記本体部に接触する位置まで回転可能であることを特徴とする請求項２に記載の撮影装置用清掃具。
【請求項５】
前記異物除去部材が取付けられている本体部をさらに有し、前記異物除去部材が、前記本体部の延びる方向を中心とする９０°の範囲で回転可能であることを特徴とする請求項２に記載の撮影装置用清掃具。  
【請求項６】
前記異物除去部材が取付けられている本体部をさらに有し、前記異物除去部材の回転軸が、前記本体部の延びる方向に垂直であることを特徴とする請求項２に記載の撮影装置用清掃具。
【請求項７】
前記異物除去部材の回転位置を調整する回転位置調整機構をさらに有することを特徴とする請求項２に記載の撮影装置用清掃具。  
【請求項８】
前記異物除去部材が取付けられている本体部をさらに有し、前記回転位置調整機構が、前記本体部に設けられた操作部と、前記操作部と前記異物除去部材とを連結する連結部材とを含むことを特徴とする請求項７に記載の撮影装置用清掃具。  
【請求項９】
前記操作部が前記本体部に沿って移動可能であり、前記操作部が移動すると前記異物除去部材が回転することを特徴とする請求項８に記載の撮影装置用清掃具。  
【請求項１０】
前記異物除去部材が、第１の粘着面と第２の粘着面とを有し、前記第１および第２の粘着面の成す角度が４５°であることを特徴とする請求項１に記載の撮影装置用清掃具。  
【発明の詳細な説明】
【技術分野】
【０００１】
本発明は、撮影装置用清掃具に関し、特に、レンズ交換式デジタルカメラ等の撮影装置に付着する異物を取り除く清掃具に関する。
【背景技術】
【０００２】
近年、レンズ交換式のデジタルカメラが普及しつつある。レンズ交換式デジタルカメラにおいては、レンズ交換等により混入する埃などの異物が、内蔵された撮像素子の表面に付着する場合がある。そして、異物が撮像素子に付着することによる画質の低下を防ぐため、撮像素子表面から異物を取り除く装置が知られている。
【０００３】
このような装置のうち、カメラマウントに装着し、ファンを用いて異物を吸引するものが知られている（例えば特許文献１および２）。また、粘着性のある部材を撮像素子の表面等に接触させ、この部材に異物を付着させて撮像素子表面等から除去することも知られている（例えば特許文献３〜５）。
【特許文献１】特開２００４−３２６０９５号公報
【特許文献２】特開２００５−２４９０５号公報
【特許文献３】特開２００５−２９２４０４号公報
【特許文献４】特開２００５−３１６３９１号公報
【特許文献５】特開２００３−２２００１４号公報
【発明の開示】
【発明が解決しようとする課題】
【０００４】
レンズ交換式デジタルカメラ等の撮影装置においては、撮像素子に加え、例えばクイックリターンミラー、ピント板等の精密部品の清掃が必要となることもある。そして、従来の異物を除去する装置等によっては、構造上、撮像素子の清掃に特化されていること等により、撮像素子以外の部材の清掃をすることが不可能、もしくは困難である。無理に撮像素子以外の部材を清掃しようとした場合、清掃対象となっている精密部品の破損や取付精度の劣化が生じて、周辺の精密部品に悪影響を及ぼす恐れがある。
【０００５】
また、撮像素子から異物を除去するためのファンは、一般に大型であることから、撮影装置の内部において、撮像素子周辺の限られた空間に設けられた撮像素子以外の部材の清掃には使用できない。また、粘着性部材を用いて異物を取り除く場合においても、被清掃面が通常は露出していない部材、例えばクイックリターンミラー、ピント板等の清掃は困難である。
【０００６】
本発明は、撮影装置における様々な部材から異物を効率的に除去する清掃具を提供することを目的とする。
【課題を解決するための手段】
【０００７】
本発明の清掃具は、撮影装置に設けられた精密部品上にある異物を除去する撮影装置用清掃具であって、異物を粘着させる複数の粘着面を有し、複数の粘着面が互いに傾くように設けられている異物除去部材を備えることを特徴とする。
【０００８】
異物除去部材は、軸心回りに回転可能であることが好ましい。そして異物除去部材は、所定の回転位置で保持されることがより好ましい。    
【０００９】
清掃具は、例えば、異物除去部材が取付けられている本体部をさらに有し、異物除去部材が、粘着面を有する粘着性部材と、本体部に回転可能に取付けられた回転部材とを含み、回転部材における本体部に取付けられていない領域が本体部に接触する位置まで回転可能である。清掃具は、例えば、異物除去部材が取付けられている本体部をさらに有し、異物除去部材は、本体部の延びる方向を中心とする９０°の範囲で回転可能であり、また、異物除去部材の回転軸は、本体部の延びる方向に垂直であることが望ましい。
【００１０】
清掃具は、異物除去部材の回転位置を調整する回転位置調整機構をさらに有することが好ましい。そして清掃具は、例えば、異物除去部材が取付けられている本体部をさらに有し、回転位置調整機構は、本体部に設けられた操作部と、操作部と異物除去部材とを連結する連結部材とを含む。操作部は、本体部に沿って移動可能であり、操作部が移動すると異物除去部材が回転することが好ましい。  
【００１１】
異物除去部材は、例えば、第１の粘着面と第２の粘着面とを有し、第１および第２の粘着面の成す角度が４５°である。  
【発明の効果】
【００１２】
本発明によれば、撮影装置における様々な部材から異物を効率的に除去する清掃具を実現できる。
【発明を実施するための最良の形態】
【００１３】
以下、本発明の実施形態を、図面を参照して説明する。図１は、第１の実施形態における清掃具を示す正面図である。図２は、本実施形態における清掃具の側面図である。
【００１４】
清掃具（撮影装置用清掃具）１０は、撮影装置の撮像素子ユニット、クイックリターンミラー、ピント板等（いずれも図示せず）の精密部品における表面に付着した埃などの異物を除去、清掃するために使用される。清掃具１０は、異物を除去する異物除去部材１２と、異物除去部材１２が先端に取付けられている細長い円柱状の本体部１４とを含む。
【００１５】
異物除去部材１２は、異物を粘着させるための粘着性部材１６と、本体部１４に回転可能に取付けられている回転部材１８とを含む。粘着性部材１６は、粘着性を有するブチルゴムにより形成されている。粘着性部材１６には、異物を粘着させるための第１〜第３の粘着面１６Ｓ１〜１６Ｓ３が設けられている（図２参照）。
【００１６】
第１の粘着面１６Ｓ１と第２の粘着面１６Ｓ２は互いに異なる方向を向くように設けられており、これら第１、第２の粘着面１６Ｓ１、１６Ｓ２が成す角度は略４５°である。また、第１の粘着面１６Ｓ１と第３の粘着面１６Ｓ３は平行である。第１〜第３の粘着面１６Ｓ１〜１６Ｓ３のうち、面積の大きい第１および第２の粘着面１６Ｓ１、１６Ｓ２が主として異物の除去に使用される。
【００１７】
回転部材１８は、本体部１４に設けられた軸部材１５に取付けられている。軸部材１５は、矢印Ａの示す本体部１４が延びる方向に対して垂直である。回転部材１８は、矢印Ｂの示すように、軸部材１５を中心として軸回転可能である。そして本体部１４の異物除去部材１２側の端部には、回転部材１８を挟むように一対の突出部１４Ｅが設けられている。回転部材１８は、軸部材１５および突出部１４Ｅとの接触面において生じる適度な摩擦力により所定の回転位置で保持されており、外力が加えられない限り回転しない。
【００１８】
図３は、異物除去部材１２が第１の回転位置にある状態の清掃具１０を示す側面図である。図４は、異物除去部材１２が第１の回転位置にある状態の清掃具１０を示す底面図である。図５は、異物除去部材１２が第１の回転位置にある状態の清掃具１０を示す正面図であり、図６は、異物除去部材１２が第１の回転位置にある状態の清掃具１０を示す背面図である。そして図７は、異物除去部材１２が第２の回転位置にある状態の清掃具１０を示す側面図である。
【００１９】
一対の突出部１４Ｅの間には、矢印Ａの示す本体部１４の延びる方向に垂直な端面１４Ｂが設けられている。そして回転部材１８の表面には、本体部１４側の曲面１８Ｒと第１および第２の平面１８Ｐ１、１８Ｐ２が含まれ、曲面１８Ｒと第１の平面１８Ｐ１との第１の境界線１８Ｌ１から軸部材１５の中心１５Ｃまでの距離Ｄ１は、曲面１８Ｒの中心領域から軸部材１５の中心１５Ｃまでの距離Ｄ２よりも大きい。なお、曲面１８Ｒと第２の平面１８Ｐ２との第２の境界線１８Ｌ２から軸部材１５の中心１５Ｃまでの距離も距離Ｄ１に等しい。
【００２０】
異物除去部材１２が所定の回転位置まで回転すると、曲面１８Ｒにおける第１の境界線１８Ｌ１付近の領域が本体部端面１４Ｂに接触し、異物除去部材１２は、それ以上同じ方向に回転することはできない（図３、５、および６参照）。すなわち、図３に示された状態においては、異物除去部材１２は矢印Ｃの示す方向にはこれ以上回転することはできない。以下、図３に示す異物除去部材１２の回転位置を第１の回転位置という。異物除去部材１２が第１の回転位置にあるとき、第１の粘着面１６Ｓ１は本体部１４の延びる方向に対して垂直である。
【００２１】
一方、異物除去部材１２が第１の回転位置から矢印Ｄの示す方向（図３参照）に回転され、曲面１８Ｒにおける第２の境界線１８Ｌ２付近の領域が本体部端面１４Ｂに接触すると（図７参照）、異物除去部材１２は、第１の回転位置にあるときと同様にそれ以上矢印Ｄの示す方向に回転することはできない。
【００２２】
このように、第２の境界線１８Ｌ２付近の領域が本体部端面１４Ｂに接触する回転位置を、以下、第２の回転位置という。異物除去部材１２が第２の回転位置にあるとき、第１の粘着面１６Ｓ１は本体部１４の延びる方向に平行であり、第２の粘着面１６Ｓ２は本体部１４の延びる方向に対して略４５°傾いている。なお図７では、実線で示された第２の回転位置とともに、第１の回転位置も破線で示されている。
【００２３】
第１の回転位置と、第２および第３の粘着面１６Ｓ２、１６Ｓ３が本体部１４の延びる方向に平行な回転位置（図１およぶ２参照、以下、基準位置という）との間の異物除去部材１２の回転角度は略４５°であり、基準位置と第２の回転位置との回転角度も略４５°である。以上のことから明らかであるように、第１の回転位置と第２の回転位置との間の異物除去部材１２の回転角度は直角であり、異物除去部材１２は、第１の回転位置と第２の回転位置との間で、本体部１４の延びる方向を中心とした略９０°の範囲で回転可能である。
【００２４】
このように、本実施形態の清掃具１０では、回転部材１８において常に本体部１４と接している領域以外の領域、すなわち軸部材１５と突出部１４Ｅとに接する領域以外の領域にある曲面１８Ｒが、本体部端面１４Ｂに接触する回転位置まで異物除去部材１２が回転可能であるように、異物除去部材１２の回転位置が調整されている。そして後述するように、第１の回転位置もしくは第２の回転位置にあるときに異物除去部材１２は撮影装置の清掃に適している。このため、清掃具１０の使用時における異物除去部材１２の回転位置の調整は容易である。
【００２５】
図８は、異物除去部材１２が第１の回転位置にある状態で使用されている清掃具１０を示す図である。図９は、異物除去部材１２が第２の回転位置にある状態で使用されている清掃具１０を示す図である。
【００２６】
清掃具１０は、例えばデジタル一眼レフカメラ（撮影装置）４０に設けられた部材のうち、撮像素子ユニット（精密部品）４２の表面４２Ｓの清掃に用いられる。この場合、クイックリターンミラー４４は退避位置に跳ね上げられ、清掃具１０は、異物除去部材１２が第１の回転位置（図３等参照）にある状態で使用される。
【００２７】
これは、異物除去部材１２が第１の回転位置にある状態で、本体部１４がマウント面４０Ｓに対して略垂直となるように保持された場合、マウント面４０Ｓに平行な撮像素子ユニット４２の清掃において、撮像素子ユニット表面４２Ｓに平行な第１の粘着面１６Ｓ１を使用することができ、清掃動作が容易だからである。
【００２８】
一方、デジタル一眼レフカメラ４０のクイックリターンミラー（精密部品）４４の表面４４Ｓ、あるいはピント板（精密部品）４６の表面４６Ｓの清掃時には、クイックリターンミラー４４が予め反射位置に移動され、清掃具１０は、異物除去部材１２が第２の回転位置（図７参照）にある状態で使用される（図９参照）。
【００２９】
これは、異物除去部材１２が第２の回転位置にある状態で、本体部１４がマウント面４０Ｓに対して略垂直となるように保持された場合、マウント面４０Ｓに対して略４５°傾く反射位置にあるクイックリターンミラー４４の表面４４Ｓの清掃においては、クイックリターンミラー表面４４Ｓに平行な第２の粘着面１６Ｓ２を使用することができ、マウント面４０Ｓに対して垂直なピント板４６の清掃においては、ピント板表面４６Ｓに平行な第１の粘着面１６Ｓ１を使用することができ、清掃動作が容易だからである。
【００３０】
なお、第１および第２の粘着面１６Ｓ１、１６Ｓ２よりも面積の小さい第３の粘着面１６Ｓ３も被清掃面からの異物除去に使用できる。また、異物除去部材１２の回転操作は、例えば、第１〜第３の粘着面１６Ｓ１〜１６Ｓ３の粘着性を保つために第１〜第３の粘着面１６Ｓ１〜１６Ｓ３から異物を転写させるための転写シート（図示せず）等に粘着性部材１６が押圧された状態で実行される。このため、ユーザの手等が粘着性部材１６に接することは防止される。
【００３１】
以上のように本実施形態によれば、清掃具１０において、異物除去部材１２を軸回転可能とし、互いに平行ではなく所定の角度だけ傾いている複数の粘着面１６Ｓ１、１６Ｓ２等を設けることにより、デジタル一眼レフカメラ４０等の撮影装置における一般に清掃が困難な領域に設けられた複数の部材を効率的に清掃することができる。
【００３２】
次に、第２の実施形態につき説明する。図１０は、異物除去部材１２が第１の回転位置にある状態の本実施形態の清掃具を示す側面図である。図１１は、異物除去部材１２が第１の回転位置にある状態の本実施形態の清掃具を示す背面図である。図１２は、異物除去部材１２が第２の回転位置にある状態の本実施形態の清掃具を示す側面図であり、図１３は、異物除去部材１２が第２の回転位置にある状態の本実施形態の清掃具を示す背面図である。
【００３３】
なお、図１０以下の図面においては、本実施形態における清掃具の構成要素のうち、第１の実施形態と同一もしくは対応するものについては、第１の実施形態と同じ符号が付されている。
【００３４】
本実施形態においては、異物除去部材１２の回転位置を調整するための回転位置調整機構３２が設けられている点のみが、第１の実施形態と異なる。本実施形態の清掃具３０においては、以下のように、回転位置調整機構３２により、本体部１４のみの操作によって、異物除去部材１２の回転位置を調整できる。
【００３５】
回転位置調整機構３２は、本体部１４に設けられた操作部３４と、異物除去部材１２と操作部３４とを連結するワイヤ（連結部材）３６を含む。操作部３４は、可動枠３８内の範囲で本体部１４に沿って摺動可能である（図１１参照）。操作部３４が可動枠３８の上端３８Ｔに接する位置にあるとき、異物除去部材１２は、第１の回転位置にある（図１０および１１参照）。
【００３６】
ユーザにより、操作部３４が矢印Ｅの示すように可動枠３８の下端３８Ｂ側に向かって摺動されると、操作部３４に連動するワイヤ３６も下方に向かって移動し、異物除去部材１２が矢印Ｄの示す方向に回転される（図１０参照）。そして、摺動動作が終了して操作部３４が所定の位置におかれると、回転部材１８と本体部１４との間で生じる摩擦力により、異物除去部材１２は所定の回転位置で保持される。
【００３７】
操作部３４が可動枠下端３８Ｂに接する位置まで移動されると、異物除去部材１２は、第２の回転位置まで移動される（図１２および１３参照）。そして再び操作部３４が可動枠上端３８Ｔ側に向かって摺動されると、異物除去部材１２は、第２の回転位置から第１の回転位置に向かって、操作部３４の位置に対応する回転位置まで回転される。
【００３８】
このように、本体部１４側の操作部３４の位置に対応する回転位置まで異物除去部材１２を回転可能とすることにより、本体部１４のみの操作によって異物除去部材１２の回転位置調整が可能である。従って、清掃具３０においては、異なる位置に設けられた複数の部材、例えば上述のデジタル一眼レフカメラ４０に設けられた撮像素子ユニット４２、クイックリターンミラー４４およびピント板４６を本体部１４のみの操作によって清掃することができる。
【００３９】
以上のように本実施形態によれば、より操作性に優れた清掃具３０を用いて、デジタル一眼レフカメラ４０等の撮影装置における複数の部材を効率的に清掃することができる。
【００４０】
清掃具の形状、材質等はいずれの実施形態にも限定されない。例えば、粘着性部材１６の材質は、適度な粘着性を有する限りブチルゴムには限定されず、エラストマーなどのウレタン系樹脂、スチレン系樹脂等であっても良い。また、粘着性部材１６における第１および第２の粘着面１６Ｓ１、１６Ｓ２が成す角度、および異物除去部材１２の回転可能な角度は、本実施形態における略４５°および略９０°であることが、一般的なデジタル一眼レフカメラ４０等の各部材の清掃に適しているものの、これには限定されない。
【図面の簡単な説明】
【００４１】
【図１】第１の実施形態における清掃具を示す正面図である。
【図２】第１の実施形態における清掃具を示す側面図である。
【図３】異物除去部材が第１の回転位置にある状態の第１の実施形態における清掃具を示す側面図である。
【図４】異物除去部材が第１の回転位置にある状態の第１の実施形態における清掃具を示す底面図である。
【図５】異物除去部材が第１の回転位置にある状態の第１の実施形態における清掃具を示す正面図である。
【図６】異物除去部材が第１の回転位置にある状態の第１の実施形態における清掃具を示す背面図である。
【図７】異物除去部材が第２の回転位置にある状態の第１の実施形態における清掃具を示す底面図である。
【図８】異物除去部材が第１の回転位置にある状態で使用されている清掃具を示す図である。
【図９】異物除去部材が第２の回転位置にある状態で使用されている清掃具を示す図である。
【図１０】異物除去部材が第１の回転位置にある状態の第２の実施形態における清掃具を示す側面図である。
【図１１】異物除去部材が第１の回転位置にある状態の第２の実施形態における清掃具を示す背面図である。
【図１２】異物除去部材が第２の回転位置にある状態の第２の実施形態における清掃具を示す側面図である。
【図１３】異物除去部材が第２の回転位置にある状態の第２の実施形態における清掃具を示す背面図である。
【符号の説明】
【００４２】
１０  清掃具（撮影装置用清掃具）
１２  異物除去部材
１４  本体部
１６  粘着性部材
１６Ｓ１  第１の粘着面
１６Ｓ２  第２の粘着面
１６Ｓ３  第３の粘着面
１８  回転部材
３０  清掃具（撮影装置用清掃具）
３２  回転位置調整機構
３４  操作部
３６  ワイヤ（連結部材）
４０  デジタル一眼レフカメラ（撮影装置）
４２  撮像素子ユニット（精密部品）
４４  クイックリターンミラー（精密部品）
４６  ピント板（精密部品）
【図１】
2008020855.tif 000003
【図２】
2008020855.tif 000004
【図３】
2008020855.tif 000005
【図４】
2008020855.tif 000006
【図５】
2008020855.tif 000007
【図６】
2008020855.tif 000008
【図７】
2008020855.tif 000009
【図８】
2008020855.tif 000010
【図９】
2008020855.tif 000011
【図１０】
2008020855.tif 000012
【図１１】
2008020855.tif 000013
【図１２】
2008020855.tif 000014
【図１３】
2008020855.tif 000015